(57)【要約】【課題】液晶表示装置におけるデザイン変更に対するの自由度を向上させ、新規モジュールの開発を回避し、大量生産におけるコストダウンと開発経費の削減とを実現する。【解決手段】  第１伝送経路Ｌ１と第２伝送経路Ｌ２と第１ランド２０ａと第２ランド２０ｂと第３伝送経路と第３ランド２０ｃと第４ランド２０ｄとを備えており、第１ランド２０ａと上記第３ランド２０ｃの組合わせに対するチップ型の０オーム抵抗の実装と、第２ランド２０ｂと第４ランド２０ｄの組合せに対するチップ型の０オーム抵抗の実装とのいずれかが選択的に行われる。【選択図】図３
2012042567.tif 000002
【特許請求の範囲】
【請求項１】
マトリックス方式による矩形の液晶パネルと、
上記液晶パネルのデータドライバーが形成され、上記液晶パネルのデータ配線とゲート配線とを駆動するための制御信号が入力され、上記液晶パネルの横方向の一端辺にそって配置された第１基板と、
上記ゲート配線を駆動するための制御信号を上記第１基板から供給されており、当該制御信号に基づいて上記液晶パネルのゲート配線を駆動するゲートドライバーＩＣをＣＯＦ方式で搭載されつつ上記液晶パネルの縦方向の一端辺にそれぞれ接続された複数のフレキシブル基板と、
を備える液晶表示装置において、
上記ゲート配線を駆動するための制御信号の一であるゲートスタートパルスを上記第１基板において伝送するラインから分岐して、上記第１基板に近い側にある上記ゲートドライバーＩＣから順に各ゲートドライバーＩＣをカスケード接続した第１伝送経路と、
上記ゲートスタートパルスを上記第１基板において伝送するラインから分岐して、上記第１基板に近い側にある上記フレキシブル基板から順に上記ゲートドライバーＩＣを経由することなく各フレキシブル基板をカスケード接続するとともに当該カスケード接続の末端に接続して上記第１基板に遠い側にある上記ゲートドライバーＩＣから順に各ゲートドライバーＩＣをカスケード接続した第２伝送経路と、
上記第１基板上の上記第１伝送経路上に形成された第１ランドと、
上記第１基板上の上記第２伝送経路上に形成された第２ランドと、
複数の上記ゲートドライバーＩＣのスキャン順序選択端子に接続されたラインに上記第１基板からスキャン順序の選択電圧を入力するための第３伝送経路と、
上記第１基板上において上記第３伝送経路を第１の選択電圧の電圧源に接続するための所定の素子を実装するために形成された第３ランドと、
上記第１基板上において上記第３伝送経路を第２の選択電圧の電圧源に接続するための所定の素子を実装するために形成された第４ランドと、
を備えており、
上記ゲートドライバーＩＣは、上記スキャン順序選択端子に上記第１の選択電圧を入力されると上記第１基板に近い側のゲート配線から順にスキャンし、上記スキャン順序選択端子に上記第２の選択電圧を入力されると上記第１基板から遠い側のゲート配線から順にスキャンし、
上記第１ランドと上記第３ランドの組合わせに対する所定の素子の実装と、上記第２ランドと上記第４ランドの組合せに対する所定の素子の実装とのいずれかが選択的に行われることを特徴とする液晶表示装置。
【請求項２】
マトリックス方式による矩形の液晶パネルと、
上記液晶パネルのデータドライバーが形成され、上記液晶パネルのデータ配線とゲート配線とを駆動するための制御信号が入力され、上記液晶パネルの横方向の一端辺にそって配置された第１基板と、
上記ゲート配線を駆動するための制御信号を上記第１基板から供給されており、当該制御信号に基づいて上記液晶パネルのゲート配線を駆動するゲートドライバーＩＣをＣＯＦ方式で搭載されつつ上記液晶パネルの縦方向の一端辺にそれぞれ接続された複数のフレキシブル基板と、
を備える液晶モジュールにおいて、
上記ゲート配線を駆動するための制御信号の一であるゲートスタートパルスを上記第１基板において伝送するラインから分岐して、上記第１基板に近い側にある上記ゲートドライバーＩＣから順に各ゲートドライバーＩＣをカスケード接続した第１伝送経路と、
上記ゲートスタートパルスを上記第１基板において伝送するラインから分岐して、上記第１基板に近い側にある上記フレキシブル基板から順に上記ゲートドライバーＩＣを経由することなく各フレキシブル基板をカスケード接続するとともに当該カスケード接続の末端に接続して上記第１基板に遠い側にある上記ゲートドライバーＩＣから順に各ゲートドライバーＩＣをカスケード接続した第２伝送経路と、
上記第１基板上の上記第１伝送経路上に形成された第１ランドと、
上記第１基板上の上記第２伝送経路上に形成された第２ランドと、
複数の上記ゲートドライバーＩＣのスキャン順序選択端子に接続されたラインに上記第１基板からスキャン順序の選択電圧を入力するための第３伝送経路と、
上記第１基板上において上記第３伝送経路を第１の選択電圧の電圧源に接続するための所定の素子を実装するために形成された第３ランドと、
上記第１基板上において上記第３伝送経路を第２の選択電圧の電圧源に接続するための所定の素子を実装するために形成された第４ランドと、
を備えており、
上記ゲートドライバーＩＣは、上記スキャン順序選択端子に上記第１の選択電圧を入力されると上記第１基板に近い側のゲート配線から順にスキャンし、上記スキャン順序選択端子に上記第２の選択電圧を入力されると上記第１基板から遠い側のゲート配線から順にスキャンし、
上記第１ランドと上記第３ランドの組合わせに対する所定の素子の実装と、上記第２ランドと上記第４ランドの組合せに対する所定の素子の実装とのいずれかが選択的に行われることを特徴とする液晶モジュール。
【発明の詳細な説明】
【技術分野】
【０００１】
本発明は、液晶表示装置および液晶モジュールに関し、特に、マトリックス方式による矩形の液晶パネルと、上記液晶パネルのデータドライバーが形成され、上記液晶パネルのデータ配線とゲート配線とを駆動するための制御信号が入力され、上記液晶パネルの横方向の一端辺にそって配置された第１基板と、上記ゲート配線を駆動するための制御信号を上記第１基板から供給され、当該ゲート配線とを駆動するための制御信号に基づいて上記液晶パネルのゲート配線を駆動するゲートドライバーＩＣをＣＯＦ方式で搭載され、上記液晶パネルの縦方向の一端辺にそれぞれ接続された複数のフレキシブル基板と、を備える液晶表示装置および液晶モジュールに関する。
【背景技術】
【０００２】
液晶表示装置等のマトリックス方式の表示装置においては、ゲート配線のスキャン順を上下逆転することにより画像を上下反転表示させたり、データ信号の取り込み順を左右逆転することにより画像を左右反転表示させたりする技術が知られている（例えば特許文献１など）。これらの反転表示は、タイミングコントローラーを所定の状態にすることにより、ゲートドライバーのスキャン順序を制御したり、各データ配線に入力する信号データを左右逆転させたりすることにより実現する。タイミングコントローラーは、機械的スイッチの切換により入力される信号や、外部から表示装置に入力する電気信号に基づいて、反転表示にかかる状態が変更される。
【０００３】
その他、スタートパルス信号の入力順にかかる技術として、特許文献２には、各ゲートドライバーのカスケード接続方向に対してスタートパルス信号とクロック信号とを互いに逆方向に伝播することにより、クロックスキューにより生じるスタートパルス信号の取り込みタイミングのズレを解消し、スタートパルス信号の取り込みタイミングを正確なものとする技術が開示されている。
【０００４】
また、特許文献３には、バックライトと一体化されたモジュールを１８０℃回転させることにより、液晶パネルの一角部からゲート信号及びドレイン信号をスキャンでき、且つ切換手段により角部と対向する角部からもゲート信号及びドレイン信号をスキャンできるようにする技術が開示されている。
【先行技術文献】
【特許文献】
【０００５】
【特許文献１】特開２００６−２８５１４１号公報
【特許文献２】特開２０００−２３５３７６号公報
【特許文献３】特開平６−１６０８０３号公報
【発明の概要】
【発明が解決しようとする課題】
【０００６】
近年の家電製品は機能のみならずデザイン性の向上に対する要望も高まっており、デザインに合わせて内部の基板や部品の構成を改変することも多く、デザイン変更に応じて行われる開発コストが軽視できなくなっている。この傾向は液晶表示装置においても同様である。液晶表示装置の内部において主要な構成要素は液晶パネルである。この液晶パネルには駆動回路基板が必要であり、この駆動回路基板を液晶パネルの上下左右側面に配置しなければならない。特に、一般に、液晶パネルのデータ配線を駆動するデータドライバー回路が形成されるＸ−ＰＣＢと呼ばれる基板は、液晶パネルの上下側面のいずれかに配置される必要がある。このＸ−ＰＣＢが、液晶表示装置におけるデザイン性の自由度を低下させる１つの要因であった。なお、上述した従来技術は表示装置の使用中にスキャン方向を切換えることを想定したものであり、デザイン性を向上させる設計という観点でなされたものではなかったため、デザイン変更に対する自由度を向上させるには適していない。
【０００７】
本発明は、上記課題に鑑みて成されたものであり、液晶表示装置におけるデザイン変更に対するの自由度を向上させ、新規モジュールの開発を回避し、大量生産におけるコストダウンと開発経費の削減とを目的とする。
【課題を解決するための手段】
【０００８】
上記課題を解決するために、本発明の液晶表示装置は、
マトリックス方式による矩形の液晶パネルと、
上記液晶パネルのデータドライバーが形成され、上記液晶パネルのデータ配線とゲート配線とを駆動するための制御信号が入力され、上記液晶パネルの横方向の一端辺にそって配置された第１基板と、
上記ゲート配線を駆動するための制御信号を上記第１基板から供給されており、当該制御信号に基づいて上記液晶パネルのゲート配線を駆動するゲートドライバーＩＣをＣＯＦ方式で搭載されつつ上記液晶パネルの縦方向の一端辺にそれぞれ接続された複数のフレキシブル基板と、
を備える液晶表示装置において、
上記ゲート配線を駆動するための制御信号の一であるゲートスタートパルスを上記第１基板において伝送するラインから分岐して、上記第１基板に近い側にある上記ゲートドライバーＩＣから順に各ゲートドライバーＩＣをカスケード接続した第１伝送経路と、
上記ゲートスタートパルスを上記第１基板において伝送するラインから分岐して、上記第１基板に近い側にある上記フレキシブル基板から順に上記ゲートドライバーＩＣを経由することなく各フレキシブル基板をカスケード接続するとともに当該カスケード接続の末端に接続して上記第１基板に遠い側にある上記ゲートドライバーＩＣから順に各ゲートドライバーＩＣをカスケード接続した第２伝送経路と、
上記第１基板上の上記第１伝送経路上に形成された第１ランドと、
上記第１基板上の上記第２伝送経路上に形成された第２ランドと、
複数の上記ゲートドライバーＩＣのスキャン順序選択端子に接続されたラインに上記第１基板からスキャン順序の選択電圧を入力するための第３伝送経路と、
上記第１基板上において上記第３伝送経路を第１の選択電圧の電圧源に接続するための所定の素子を実装するために形成された第３ランドと、
上記第１基板上において上記第３伝送経路を第２の選択電圧の電圧源に接続するための所定の素子を実装するために形成された第４ランドと、
を備えており、
上記ゲートドライバーＩＣは、上記スキャン順序選択端子に上記第１の選択電圧を入力されると上記第１基板に近い側のゲート配線から順にスキャンし、上記スキャン順序選択端子に上記第２の選択電圧を入力されると上記第１基板から遠い側のゲート配線から順にスキャンし、
上記第１ランドと上記第３ランドの組合わせに対する所定の素子の実装と、上記第２ランドと上記第４ランドの組合せに対する所定の素子の実装とのいずれかが選択的に行われる構成としてある。
以上の構成によれば、所定の素子の実装先を適宜に変更するだけで、液晶パネルのスキャン方向が上下逆転するため液晶パネルを上下逆転した使用が可能となりであり、液晶表示装置におけるデザイン変更に対する自由度を向上させ、新規モジュールの開発を回避し、大量生産におけるコストダウンと、開発経費を削減することができる。
【０００９】
本発明の他の態様として、
マトリックス方式による矩形の液晶パネルと、
上記液晶パネルのデータドライバーが形成され、上記液晶パネルのデータ配線とゲート配線とを駆動するための制御信号が入力され、上記液晶パネルの横方向の一端辺にそって配置された第１基板と、
上記ゲート配線を駆動するための制御信号を上記第１基板から供給されており、当該制御信号に基づいて上記液晶パネルのゲート配線を駆動するゲートドライバーＩＣをＣＯＦ方式で搭載されつつ上記液晶パネルの縦方向の一端辺にそれぞれ接続された複数のフレキシブル基板と、
を備える液晶モジュールにおいて、
上記ゲート配線を駆動するための制御信号の一であるゲートスタートパルスを上記第１基板において伝送するラインから分岐して、上記第１基板に近い側にある上記ゲートドライバーＩＣから順に各ゲートドライバーＩＣをカスケード接続した第１伝送経路と、
上記ゲートスタートパルスを上記第１基板において伝送するラインから分岐して、上記第１基板に近い側にある上記フレキシブル基板から順に上記ゲートドライバーＩＣを経由することなく各フレキシブル基板をカスケード接続するとともに当該カスケード接続の末端に接続して上記第１基板に遠い側にある上記ゲートドライバーＩＣから順に各ゲートドライバーＩＣをカスケード接続した第２伝送経路と、
上記第１基板上の上記第１伝送経路上に形成された第１ランドと、
上記第１基板上の上記第２伝送経路上に形成された第２ランドと、
複数の上記ゲートドライバーＩＣのスキャン順序選択端子に接続されたラインに上記第１基板からスキャン順序の選択電圧を入力するための第３伝送経路と、
上記第１基板上において上記第３伝送経路を第１の選択電圧の電圧源に接続するための所定の素子を実装するために形成された第３ランドと、
上記第１基板上において上記第３伝送経路を第２の選択電圧の電圧源に接続するための所定の素子を実装するために形成された第４ランドと、
を備えており、
上記ゲートドライバーＩＣは、上記スキャン順序選択端子に上記第１の選択電圧を入力されると上記第１基板に近い側のゲート配線から順にスキャンし、上記スキャン順序選択端子に上記第２の選択電圧を入力されると上記第１基板から遠い側のゲート配線から順にスキャンし、
上記第１ランドと上記第３ランドの組合わせに対する所定の素子の実装と、上記第２ランドと上記第４ランドの組合せに対する所定の素子の実装とのいずれかが選択的に行われる構成としてある。
【発明の効果】
【００１０】
以上説明したように本発明によれば、素子を搭載するランドを変更するのみでゲート信号線のスキャン順序を反転することが可能となるため、液晶表示装置のデザイン変更の自由度を向上させ、デザイン変更があっても新規モジュールを開発しなくともよくなり、大量生産におけるコストダウンや開発経費の削減を実現可能となる。
【図面の簡単な説明】
【００１１】
【図１】液晶表示装置の構成図である。
【図２】フレキシブル基板における伝送経路の要部を示した説明図
【図３】フレキシブル基板における伝送経路の要部を示した説明図
【図４】伝送経路の全体的な構造を模式的に示した説明図である。
【図５】伝送経路の全体的な構造を模式的に示した説明図である。
【発明を実施するための形態】
【００１２】
以下、下記の順序に従って本発明の実施形態を説明する。
（１）液晶表示装置の構成：
（２）伝送経路：
（３）まとめ：
【００１３】
（１）液晶表示装置の構成： 
図１は、液晶表示装置の構成図である。同図に示すように、液晶表示装置１００は、矩形の液晶パネル１０と、液晶パネル１０の横方向の一端辺に配置されるＸ−ＰＣＢ２０と、Ｘ−ＰＣＢ２０と液晶パネル１０とを接続するフレキシブル基板２１〜２６と、液晶パネル１０の縦方向の一端辺にそれぞれ接続された複数のフレキシブル基板３１〜３３と、フレキシブル基板３１〜３３の上にそれぞれＣＯＦ（Chip On Film）方式で搭載された液晶パネル１０のゲートドライバーＩＣ（Integrated Circuit）３１ａ，３２ａ，３３ａと、タイミングコントローラーＴ−ｃｏｎを備える。なお、フレキシブル基板３１〜３３に形成される回路およびこれらの上に搭載されたゲートドライバーＩＣ３１ａ，３２ａ，３３ａは液晶パネル１０のゲートドライバー３０を構成し、Ｘ−ＰＣＢ２０およびフレキシブル基板２１〜２６上に形成される回路は液晶パネル１０のデータドライバー２０を構成する。液晶パネル１０は、マトリックス方式である。液晶表示装置１００は、その他、不図示の筐体や電源回路等の液晶表示装置を実現するために必要な構成を備えているが、これら１０，２０，２１〜２６，３１〜３３，３１ａ〜３３ａ，Ｔ−ｃｏｎの構成が液晶モジュールを構成する。なお、Ｘ−ＰＣＢ２０は、本実施形態における第１基板を構成する。
【００１４】
タイミングコントローラーＴ−ｃｏｎは、ゲートドライバー３０やデータドライバー２０を駆動する。同図において、液晶表示装置１００は、映像処理部２００とタイミングコントローラーＴ−ｃｏｎとを経由して、映像信号や水平垂直同期信号等の液晶パネル１０の駆動に必要な各種の制御信号を入力されている。なお、タイミングコントローラーＴ−ｃｏｎは、Ｘ−ＰＣＢ上に搭載されても構わない。
映像処理部２００は、液晶表示装置１００の内部構成であっても外部機器として構成されてもよい。例えば、液晶テレビジョンであれば映像処理部２００は、チューナー回路等を備えた液晶表示装置１００の内部構成としたり、外部入力端子に接続された外付けのＤＶＤプレーヤとしたりすることができる。
【００１５】
液晶パネル１０は、ＴＦＴアレイ基板と対向基板とこれらＴＦＴアレイ基板と対向基板の間に挟持される液晶材料とを備える。ＴＦＴアレイ基板は、互いに直行する複数のゲート配線と複数のデータ配線がマトリックス状に形成されており、ゲート配線とデータ配線に囲まれた画素領域の角部に液晶を駆動するためのＴＦＴが形成されている。対向基板は、ガラス基板上に透明導電膜（例えばＩＴＯ膜）が形成されている。ＴＦＴアレイ基板の周辺部、特に本実施形態では、左辺にゲート配線を駆動するためのゲートドライバを接続するための端子部が形成され、上辺にデータ配線を駆動するためのソースドライバを接続する為の端子部が形成されている。
【００１６】
Ｘ−ＰＣＢ２０は、液晶パネル１０の上辺に沿って配置されており、Ｘ−ＰＣＢ２０上上にはデータドライバーの回路が形成されている。このデータドライバーには、タイミングコントローラーＴ−ｃｏｎから、データ配線を駆動するための制御信号とゲート配線を駆動するための制御信号とが入力されている。
【００１７】
ゲートドライバーＩＣ３１ａ，３２ａ，３３ａは、Ｘ−ＰＣＢ２０から入力される制御信号に基づいて、液晶パネル１０のゲート配線を駆動する。制御信号は、ＰＣＢ２０からフレキシブル基板２６やＴＦＴアレイ基板を経由するとともに、後述のように必要に応じてフレキシブル基板３１，３２，３３を経由してゲート配線とを駆動するための制御信号を供給される。ゲートドライバーＩＣ３１ａ，３２ａ，３３ａは、供給された制御信号に基づいてＴＦＴアレイ基板のゲート配線にゲート制御信号を生成し、液晶パネル１０のゲート配線に入力する。
【００１８】
なお、液晶表示装置は、図１に示す構成の他に映像データを生成してＸ−ＰＣＢ２０に入力するための回路が形成された主基板、液晶パネル１０の背面から光を照射するバックライトもしくは側面から光を照射するサイドライト、等も備えている。
【００１９】
（２）伝送経路： 
図２〜５を参照して、ゲートドライバーＩＣ３１ａ，３２ａ，３３ａに対するゲートスタートパルスＳＴＶとシフト方向設定信号Ｓｓｅｔの伝送経路について説明する。図２，３は、フレキシブル基板における伝送経路の要部を示した説明図、図４，５は、伝送経路の全体的な構造を模式的に示した説明図である。なお、図２，３，４には示していないが、各ゲートドライバーには、ゲートクロック信号や水平垂直同期信号等のその他のゲートドライバーを駆動するために必要な各種の信号も入力されている。
【００２０】
図２に示すように、第１ランド２０ａ、第２ランド２０ｂ、第３ランド２０ｃ、第４ランド２０ｄ、が形成されている。これらランドは、Ｘ−ＰＣＢ２０には、ゲートスタートパルスＳＴＶやシフト方向設定信号Ｓｓｅｔの伝送経路を設定するために用いられる、すなわち、これらのランドに適宜に所定の素子を実装することにより、ゲートスタートパルスＳＴＶの伝送経路とゲートドライバーＩＣ３１ａ，３２ａ，３３ａのシフトレジスターにおけるゲートスタートパルスＳＴＶのシフト方向が決定される。所定の素子としては例えば表面実装用のチップ型の０オーム抵抗等である。
【００２１】
まず、ゲートスタートパルスＳＴＶの伝送経路には、第１伝送経路Ｌ１と第２伝送経路Ｌ２の２種類がある。
【００２２】
第１伝送経路Ｌ１は、Ｘ−ＰＣＢ２０上においてゲートスタートパルスＳＴＶを伝送するラインから分岐して開始され、Ｘ−ＰＣＢ２０から基板２６を経由してＴＦＴアレイ基板の角部Ｃ１近くへ接続される経路と、この角部Ｃ１近くを通ってフレキシブル基板３１の端子３１ｄに接続される経路と、フレキシブル基板３１上において端子３１ｄとゲートドライバーＩＣ３１ａのＳＴＶ２端子とを接続する経路とを備えている。
【００２３】
また第１伝送経路Ｌ１は、ゲートドライバーＩＣ３１ａのＳＴＶ１端子と端子３１ｇとを接続する経路と、ＴＦＴアレイ基板上を端子３１ｇからフレキシブル基板３２の端子３２ｄに接続する経路を備えている。同様に、第１伝送経路Ｌ１は、フレキシブル基板３１と同様の経路をフレキシブル基板３２，３３に備えている。なお、フレキシブル基板３３の端子３３ｇはＴＦＴアレイ基板のグランドに接続されている。
【００２４】
このように形成された第１伝送経路Ｌ１上には、Ｘ−ＰＣＢ２０に形成された経路上に上述した第１ランド２０ａが形成されており、この第１ランド２０ａに対する所定の素子の実装により導通する。すなわち、第１伝送経路Ｌ１は、第１ランド２０ａを経由した後、フレキシブル基板３１，３２，３３やＴＦＴアレイ基板を適宜経由しつつ、各ゲートドライバーＩＣをゲートドライバーＩＣ３１ａ，３２ａ，３３ａの順にカスケード接続している。これにより、第１伝送経路Ｌ１は、ゲートドライバーＩＣを３１ａ，３２ａ，３３ａの順に経由しつつゲートスタートパルスＳＴＶを伝送する。
【００２５】
一方、第２伝送経路Ｌ２は、Ｘ−ＰＣＢ２０上においてゲートスタートパルスＳＴＶを伝送するラインから分岐して開始され、Ｘ−ＰＣＢ２０からＸ−ＰＣＢ２０からフレキシブル基板２６を経由してＴＦＴアレイ基板の角部Ｃ１近くへ接続される経路と、この角部Ｃ１近くを通ってフレキシブル基板３１の端子３１ｂに接続される経路と、フレキシブル基板３１上において端子３１ｂと端子３１ｉとを接続する経路と、ＴＦＴアレイ基板上を端子３１ｉからフレキシブル基板３２の端子３２ｂに接続する経路を備えている。さらに、第２伝送経路Ｌ２は、フレキシブル基板３１と同様の経路をフレキシブル基板３２，３３にも備えている。
【００２６】
さらに、第２伝送経路Ｌ２は、フレキシブル基板３３の端子３３ｉと端子３３ｈとを接続する経路と、フレキシブル基板３３上において端子３３ｈとゲートドライバーＩＣ３３ａのＳＴＶ１端子とを接続する経路と、ゲートドライバーＩＣ３１ａのＳＴＶ２端子と端子３３ｃとを接続する経路と、ＴＦＴアレイ基板上を端子３３ｃからフレキシブル基板３２の端子３２ｈに接続する経路を備えている。同様に、第２伝送経路Ｌ２は、フレキシブル基板３３と同様の経路をフレキシブル基板３２，３１にも備えている。なお、フレキシブル基板３１の端子３１ｃはＴＦＴアレイ基板のグランドに接続されている。
【００２７】
以上のように形成された第２伝送経路Ｌ２上には、Ｘ−ＰＣＢ２０上形成された経路上に上述した第２ランド２０ｂが形成されており、この第２ランド２０ｂに対する所定の素子の実装により導通する。すなわち、第２伝送経路Ｌ２は、第２ランド２０ｂを経由した後、ゲートドライバーＩＣや各ゲートドライバーＩＣのゲート制御線並びにＴＦＴアレイ基板のゲート配線を迂回しつつ、フレキシブル基板３１，３２，３３やＴＦＴアレイ基板を通って、フレキシブル基板３１，３２，３３の順にフレキシブル基板３３までカスケード接続している。さらに、第２伝送経路Ｌ２は、バイパス伝送された端部から折り返してさらに延長されており、フレキシブル基板３３，３２，３１やＴＦＴアレイ基板を適宜経由しつつ、各ゲートドライバーＩＣを３３ａ，３２ａ，３１ａの順にカスケード接続している。
【００２８】
以上の伝送経路により、第２伝送経路Ｌ２は、ゲートスタートパルスＳＴＶを、ＴＦＴアレイ基板の角部Ｃ１付近から角部Ｃ２付近まで、ゲートドライバーＩＣ３１ａ，３２ａ，３３ａを経由することなく、フレキシブル基板３３の角部Ｃ２の側までバイパス伝送し、さらに、ゲートドライバーＩＣを３３ａ，３２ａ，３１ａの順に経由しつつゲートスタートパルスＳＴＶを伝送する。
【００２９】
次に、シフト方向設定信号Ｓｓｅｔについて説明する。シフト方向設定信号Ｓｓｅｔは、第３伝送経路Ｌ３を介して伝送される。第３伝送経路Ｌ３は、Ｘ−ＰＣＢ２０からフレキシブル基板２６を経由してＴＦＴアレイ基板に接続されており、さらに各フレキシブル基板３１，３２，３３の端子３１ｅ，３１ｆ，３２ｅ，３２ｆ，３３ｅ，３３ｆに接続されている。
【００３０】
これらの端子３１ｅ，３１ｆ，３２ｅ，３２ｆ，３３ｅ，３３ｆは、各ゲートドライバーＩＣのＶＤＤ端子に接続されており、ＶＤＤ端子は各ゲートドライバーＩＣにおいて内部的にＬ／Ｒ端子に接続されている。すなわち、シフト方向設定信号Ｓｓｅｔは、各ゲートドライバーＩＣのＬ／Ｒ端子に入力される。このシフト方向設定信号Ｓｓｅｔは、後述の電圧ＶＤＤやグランドであり、本実施形態におけるスキャン順序を選択するための選択電圧を構成する。また、これらの端子３１ｅ，３１ｆ，３２ｅ，３２ｆ，３３ｅ，３３ｆもしくは各ゲートドライバーＩＣのＬ／Ｒ端子は、本実施形態において、ゲートドライバーＩＣのスキャン順序を選択するための選択信号を入力するためのスキャン順序選択端子を構成する。
【００３１】
第３伝送経路Ｌ３は、Ｘ−ＰＣＢ２０上で第３ランド２０ｃを介して電圧ＶＤＤの電圧源に接続可能になっており、第３ランド２０ｃに所定の素子が実装されると第３伝送経路Ｌ３と電圧ＶＤＤの電圧源とが接続される。また、第３伝送経路Ｌ３は、Ｘ−ＰＣＢ２０上で第４ランド２０ｄを介してグランドに接続可能になっており、第４ランド２０ｄに所定の素子が実装されると第３伝送経路Ｌ３とグランドとが接続される。このようにして第３伝送経路Ｌ３とランドを介して接続可能な電圧ＶＤＤの電圧源やグランドが本実施形態において電圧源を構成し、電圧ＶＤＤが第１の選択電圧を構成し、グランドが第２の選択電圧を構成する。
【００３２】
各ゲートドライバーＩＣは、Ｌ／Ｒ端子に入力される電圧がＶＤＤのときは順方向に順にゲート制御信号を出力する。ここで順方向とは、角部Ｃ１に近い方から角部Ｃ２に向かう方向である。一方、各ゲートドライバーＩＣは、Ｌ／Ｒ端子に入力される電圧がグランドのときは逆方向に順にゲート制御信号を出力する。逆方向とは、角部Ｃ２に近い方から角部Ｃ１に向かう方向である。むろん、ゲートドライバーＩＣの仕様次第では、ＶＤＤとグランドとで逆の動作を行うこともある。
【００３３】
以上の構成において、ゲートドライバーに順方向にスキャンさせたい場合には第１伝送経路Ｌ１でゲートスタートパルスＳＴＶを伝送するとともに各ゲートドライバーＬ／Ｒ端子にはＶＤＤを入力する。また、ゲートドライバーに逆方向にスキャンさせたい場合には第２伝送経路Ｌ２でゲートスタートパルスＳＴＶを伝送するとともに各ゲートドライバーＬ／Ｒ端子にはＶＤＤを入力する。
【００３４】
図４に示す実装形態は、ゲートドライバーＩＣに順方向スキャンさせたいときに利用する。同図においては、第１ランド２０ａと第３ランド２０ｃの組に所定の素子を実装し、第２ランド２０ｂと第４ランド２０ｄの組には素子を実装しない。このように実装することにより、ゲートドライバーＩＣ３１ａ，３２ａ，３３ａのＬ／Ｒ端子にはＶＤＤが入力され、ゲートスタートパルスＳＴＶはゲートドライバーＩＣ３１ａの上端から入力される。
【００３５】
すると、まずゲートドライバーＩＣ３１ａ内蔵するシフトレジスターは、入力されたゲートスタートパルスＳＴＶを順方向にシフトしつつゲート制御信号を出力し、次にゲートドライバーＩＣ３１ａのスキャン終了後にゲートドライバーＩＣ３１ａからゲートスタートパルスＳＴＶを入力されたゲートドライバーＩＣ３２ａも入力されたゲートスタートパルスＳＴＶを順方向にシフトしつつゲート制御信号を出力し、最後に、ゲートドライバーＩＣ３２ａのスキャン終了後にゲートドライバーＩＣ３２ａからゲートスタートパルスＳＴＶを入力されたゲートドライバーＩＣ３３ａも入力されたゲートスタートパルスＳＴＶを順方向にシフトしつつゲート制御信号を出力する。よって、液晶パネル１０のゲート配線は順方向にスキャンされる。
【００３６】
図５に示す実装形態は、ゲートドライバーＩＣに逆方向スキャンさせたいときに利用する。同図においては、ゲートドライバーＩＣ３１ａ，３２ａ，３３ａのＬ／Ｒ端子にＶＤＤを入力させるため、第１ランド２０ａと第３ランド２０ｃの組に素子を実装せず、第２ランド２０ｂと第４ランド２０ｄの組に所定の素子を実装する。このように実装することにより、ゲートドライバーＩＣ３１ａ，３２ａ，３３ａのＬ／Ｒ端子にはグランドが入力され、ゲートスタートパルスＳＴＶはゲートドライバーＩＣ３３ａの下端から入力される。
【００３７】
すると、まずゲートドライバーＩＣ３３ａ内蔵するシフトレジスターは、入力されたゲートスタートパルスＳＴＶを逆方向にシフトしつつゲート制御信号を出力し、次にゲートドライバーＩＣ３３ａのスキャン終了後にゲートドライバーＩＣ３３ａからゲートスタートパルスＳＴＶを入力されたゲートドライバーＩＣ３２ａも入力されたゲートスタートパルスＳＴＶを逆方向にシフトしつつゲート制御信号を出力し、最後に、ゲートドライバーＩＣ３２ａのスキャン終了後にゲートドライバーＩＣ３２ａからゲートスタートパルスＳＴＶを入力されたゲートドライバーＩＣ３１ａも入力されたゲートスタートパルスＳＴＶを逆方向にシフトしつつゲート制御信号を出力する。よって、液晶パネル１０のゲート配線は逆方向にスキャンされる。
【００３８】
（３）まとめ： 
以上説明したように、第１伝送経路Ｌ１と第２伝送経路Ｌ２と第１ランド２０ａと第２ランド２０ｂと第３伝送経路と第３ランド２０ｃと第４ランド２０ｄとを備えることにより、第１ランド２０ａと上記第３ランド２０ｃの組合わせに対するチップ型の０オーム抵抗の実装と、第２ランド２０ｂと第４ランド２０ｄの組合せに対するチップ型の０オーム抵抗の実装とのいずれかが選択的に行うことができるようになる。よって、ゲート制御端子の順スキャンと逆スキャンとを、実装段階において容易に選択可能となり、液晶表示装置におけるデザイン変更に対する自由度を向上させ、新規モジュールの開発を回避し、大量生産におけるコストダウンと開発経費の削減とを実現することができる。
【００３９】
なお、上述した実施形態では、ゲートドライバーＩＣを液晶パネル１０の左右どちらか一方に配置する例について説明したが、本発明にかかる伝送経路やランドを左右両側に形成すれば、液晶パネル１０の左右両側にゲートドライバーＩＣを配して駆動するタイプについても適用可能であることは言うまでも無い。
【００４０】
また、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４１】
１０…液晶パネル、２０ａ…第１ランド、２０ｂ…第２ランド、２０ｃ…第３ランド、２０ｄ…第４ランド、２１〜２６…フレキシブル基板、３１〜３３…フレキシブル基板、３１ａ…ゲートドライバーＩＣ、３２ａ…ゲートドライバーＩＣ、３３ａ…ゲートドライバーＩＣ、１００…液晶表示装置、２００…映像処理部、Ｃ１…角部、Ｃ２…角部、ＳＴＶ…ゲートスタートパルス、Ｌ１…第１伝送経路、Ｌ２…第２伝送経路、Ｌ３…第３伝送経路、ＳＴＶ…ゲートスタートパルス、Ｔ−ｃｏｎ…タイミングコントローラー、ＶＤＤ…電圧
【図１】
2012042567.tif 000003
【図２】
2012042567.tif 000004
【図３】
2012042567.tif 000005
【図４】
2012042567.tif 000006
【図５】
2012042567.tif 000007